(57)【要約】      （修正有）【課題】ニーズ及び好みに対応する製品の個人専用の推奨について、人を対象とする化粧品を選択する方法の提供。【解決手段】制御照明環境における人の画像を取得し、前記人の顔の一部領域又は全部の比色分析座標を測定及び記録するステップと、上記人の肌の色調の絶対値を特定するために、標準化された手段によって上記画像を処理するステップと、人の肌の色調の上記絶対値をその使用条件下での各化粧品の色を測定することによってデータベースの複数の化粧品の各々に対して確立された使用色マップに相関付けるステップと、その色測定値が個人専用のカラーマトリクスの一部である化粧品をデータベースから抽出するステップとを含む。【選択図】図３
2019195619.tif 000002
【特許請求の範囲】
【請求項１】
人を対象とする化粧品を選択する方法であって、
制御照明環境における人の画像を取得（１００）し、前記人の顔の一部又は全部の比色分析座標を測定及び記録するステップと、
前記人の肌の色調の絶対値を特定（２００）するために、標準化された手段によって前記画像を処理するステップと、
個人専用のカラーマトリクス（ＭＴＰ）を特定（３００）するために、その使用条件下における各化粧品の色を測定することによって、前記人の肌の色調の前記絶対値をデータベースの複数の化粧品の各々に対して確立された使用色マップに相関付けるステップと、
色測定値が前記個人専用のカラーマトリクスの一部である化粧品を前記データベースから抽出（４１０）するステップと、
紙文書及びデジタルインターフェースの中から選択される情報媒体を用いて、前記個人専用のカラーマトリクスにおいて構成される前記化粧品を前記人に提示（４２０）するステップと
を備える前記方法。
【請求項２】
前記人の画像を取得するステップ（１００）は、前記人の画像を撮影（１１０）するステップを備え、
前記撮影は、制御照明環境における前記人の顔の完全な観察を備え、
前記画像を処理（２００）するステップは、デジタル処理により、前記顔の画素の一部又は全部の各々の前記比色分析パラメータＬｉ及びｈｉを分析（２１０）し、Ｌｍ，ｈｍによって指定される前記顔の色の前記絶対値を特定するのに前記Ｌｉ及びｈｉの各々の平均を用いることを備える、請求項１に記載の方法。
【請求項３】
前記比色分析パラメータの前記分析は、０と１００の間のＬ軸に沿った前記画像の前記画素の分布図（ＤＬ）及び−１５°と１０５°の間のｈ軸に沿った前記画像の前記画素の分布図（Ｄｈ）を得ることをさらに備える、請求項２に記載の方法。
【請求項４】
前記照明環境は、
全体的又は部分的に前記人に対向するように位置決めされ、前記画像取得の対象となる前記人の周辺に均一な照明環境を提供可能な標準化された光源（１０）と、
前記人の顔から２０ｃｍと５０ｃｍの間の距離又は２５ｃｍと３５ｃｍの間の距離に載置されたレンズを備える撮影デバイス（２０）と、
テストパターン等の画像校正デバイス（３０）であって、前記パターンは、前記人の顔と同じ制御照明環境においてかつ前記人の顔と同じ前記レンズからの距離で画像において撮影される、画像校正デバイス（３０）と
を備える手段（１）の使用によって制御される、請求項３に記載の方法。
【請求項５】
前記照明環境はさらに、撮影中に前記撮影デバイスからの前記人の顔までの実際の距離を制御するように適合された視線追跡デバイス（４０）の使用によって制御される、請求項４に記載の方法。
【請求項６】
前記使用色マップは、
前記化粧品の一定の厚さの均質的な膜を参照媒体上に拡げ（９１０）、
得られた各膜を２０℃と４５℃の間の温度で乾燥させ（９２０）、
分光光度計によって、前記人の画像を取得するステップで用いられたものと同一又は略同一の標準化された照明条件下で、先行する前記ステップで得られた各膜の比色分析パラメータＬｆ及びｈｆを測定する（９３０）
ことによって各化粧品に対して得られ、
前記人の肌の色調の前記絶対値を前記使用色マップに相関付ける（３００）ステップは、
前記人の肌の色調の前記絶対値の値Ｌｍ及びｈｍを各化粧品に対して測定されたＬｆ／ｈｆの対のセットによって定義された前記使用色マップの色空間内に位置決め（３１０）するステップと、
Ｌｍと各Ｌｆとの間のΔＬ絶対差が±１０に等しく、好ましくは±５に等しく、ｈｍと各ｈｆとの間のΔｈ絶対差が０°と９０°の間、好ましくは０°と５０°の間、より好ましくは０°と２０°の間となるように前記Ｌｆ／ｈｆの対を選択（３２０）するステップと、
直前の前記選択ステップで得られた前記Ｌ及びｈ座標上の前記色空間内にある前記人の個人専用のカラーマトリクスを特定（３３０）するステップと
を備える、請求項１に記載の方法。
【請求項７】
前記相関付けるステップ（３００）は、
所望のメイクアップ効果と、
カバー力の大小と、
艶又はマット効果と、
ナチュラル又は重ね効果と、
顔の比色分析データの測定において考慮しない顔領域の選択と、
演色性と
からなるグループの中から少なくとも１つの前記人の個人的嗜好基準を統合するステップ（３４０）、及び／又は
特に前記人の顔に顔の色の欠陥又は不規則性がある場合に、異なる画素のＬ及びｈに変動の分散の領域を除外するために分布図（ＤＬ）又は（Ｄｈ）を考慮するステップ（３５０）
をさらに備える、請求項１に記載の方法。
【請求項８】
人の肌の色調の絶対値を特定する方法であって、
前記人の画像を撮影（１１０）するステップであって、前記撮影は制御照明環境における前記人の顔の完全な観察を備える、ステップと、
デジタル処理により、前記顔の画素の一部又は全部の各々の前記比色分析パラメータＬｉ及びｈｉを分析（２１０）し、Ｌｍ及びｈｍによって指定された前記顔の色の前記絶対値を特定するのに前記Ｌｉ及びｈｉの各々の平均を用いるステップと
を備えることを特徴とする前記方法。
【請求項９】
前記比色分析パラメータを分析するステップは、０と１００の間のＬ軸に沿った前記画像の前記画素の分布図（ＤＬ）及び−１５°と１０５°の間のｈ軸に沿った前記画像の前記画素の分布図（Ｄｈ）を得ることをさらに備える、請求項８に記載の方法。
【請求項１０】
前記人の前記画像を撮影（１００）するステップは、
全体的又は部分的に前記人に対向するように位置決めされ、前記画像取得の対象となる前記人の周辺に均一な照明環境を提供可能な標準化された光源（１０）と、
前記人の顔から２０ｃｍと５０ｃｍの間の距離又は２５ｃｍと３５ｃｍの間の距離に載置されたレンズを備える撮影デバイス（２０）と、
テストパターン等の画像校正デバイス（３０）であって、前記パターンは、前記人の顔と同じ制御照明環境においてかつ前記人の顔と同じ前記レンズからの距離で画像において撮影される、画像校正デバイス（３０）と
を用いて実行される、請求項９に記載の方法。
【請求項１１】
画像処理方法であって、
人の肌の色調の絶対値を特定（２００）するステップと、
使用色マップを得る（９００）ために、使用条件下及び標準化照明条件下における複数の化粧品の色を測定するステップと、
個人専用のカラーマトリクスを特定するために、前記人の肌の色調の前記絶対値を前記使用色マップに相関付ける（３００）ステップと
を備えることを特徴とする前記画像処理方法。
【請求項１２】
前記人の肌の色調の前記絶対値を前記使用色マップに相関付ける（３００）ステップは、
前記人の肌の色調の前記絶対値の値Ｌｍ及びｈｍをＬｆ／ｈｆの対のセットによって定義された前記使用色マップの色空間内に位置決め（３１０）するステップと、
Ｌｍと各Ｌｆとの間のΔＬ絶対差が±１０に等しく、好ましくは±５に等しく、ｈｍと各ｈｆとの間のΔｈ絶対差が０°と９０°の間、好ましくは０°と５０°の間、より好ましくは０°と２０°の間となるように前記Ｌｆ／ｈｆの対を選択（３２０）するステップと、
直前の前記選択ステップで得られた前記Ｌ及びｈ座標上の前記色空間に対応する前記人の個人専用のカラーマトリクスを特定（３３０）するステップと
を備える、請求項１１に記載の方法。
【請求項１３】
化粧品の使用色マップを特定する方法（９００）であって、
一定の厚さの均質的な膜として前記化粧品を参照媒体上に拡げるステップ（９１０）と、
得られた前記膜を２０℃と４５℃の間の温度で乾燥させる（９２０）ステップと、
分光光度計によって、標準化された照明条件下で、先行する前記ステップにおいて得られた前記膜の比色分析パラメータＬｆ及びｈｆを測定する（９３０）ステップと
を備え、
点Ｌｆ／ｈｆの各対は、複数の化粧品の各々の前記使用色マップを表し、前記点Ｌｆ／ｈｆの対のセットは、制限なく前記使用マップの色空間を形成する、前記方法。
【発明の詳細な説明】
【技術分野】
【０００１】
本発明は、彼又は彼女のニーズ及び好みに対応する製品の個人専用の推奨について、人を対象とする化粧品を選択する方法に関する。それはまた、化粧品を選択する方法において実行される画像取得方法及び画像処理方法も含む。
【背景技術】
【０００２】
本方法は、カスタマーエクスペリエンスの背景内で適用され、その目的は、その人の実際の肌の色調に基づいてかつ彼又は彼女の個人的な好みを適宜考慮しながら、化粧品を選択する際の、より詳細には色を有する化粧品の色を選択する際の助言を対象者に提供可能とし、及びその人の肌に塗布可能とすることにある。
【０００３】
本方法は、その人の肌の色調に合うファンデーションの色を選択する際の推奨及び補助を与えるのに特に適する。
【０００４】
肌の色及びファンデーションの色に基づいて、最適な製品を提案するために、人の肌の色調を特定する方法は従来から知られている。しかしながら、これらの方法は、制限を有し又は選択的過ぎる手段を利用する。例えば、分光光度計を用いることによって、又は顔の局所的領域を撮影して測定することによって、その人の肌の色を測定することに基づく方法が周知である（米国特許第９４４２９７３号）。これらの方法には、主に２つの欠点があり、それは、顔の特定の領域しか考慮されないこと、またさらに、分光光度計の場合には、測定手段の肌への直接の接触が一部の人々にとってはカスタマーエクスペリエンスの一部として許容できないことである。
【０００５】
また、任意の対象の色の知覚は、それを照らす光及びそれらを記録するシステムのパラメータ設定に依存する。この問題を解決するために、対象が位置する照明環境を校正する手段、及び参照システムに対して校正された環境に測定値を変換するための参照手段を有する必要がある。
【０００６】
したがって、標準化された参照システムにおける画像取得及び画像処理手段は、同じ参照システムにおける人の肌の色の測定と化粧品の色の測定との間の正確な相関関係を得るために不可欠な要素である。
【０００７】
化粧品の色は、時とともに進化し得ることも知られている。特に、ボトル、ジャー、ポットなどのような容器内の化粧品は、「バルクカラー」と呼ばれる知覚色を有し、（容器内の化粧品よりも薄い）連続被膜で表面に拡がるこの同じ化粧品は、「フィルムカラー」と呼ばれるバルクカラーとは異なる知覚色を有する。一般に従来技術の方法では化粧品の「バルクカラー」のみが測定されるが、一般に製品はその容器から少量取り出されて顔の全部又は一部に化粧品を拡げて塗布することによって使用されるので、フィルムカラーの方が化粧品の使用条件に近い。
【０００８】
多くの化粧品は、例えば化粧品の組成に最初に存在する揮発性の成分の蒸発に起因して、使用中に色の変動を呈する場合があることも知られている。この蒸発は、その後に初期組成の変化を引き起こし、特に化粧品の分野で周知の「黒ずみ」現象の一因となり得る。
【０００９】
したがって、人の肌の色調パラメータのみならず、これらを使用条件下での化粧品の色パラメータに相関付けることを考慮する効果的かつ正確な再現可能な方法を有する必要がある。
【００１０】
本発明は、このニーズを満たし、既存の方法の欠点を解決することを目的とする。
【００１１】
したがって、本発明は、人に対して化粧品の個人専用の推奨を提供する目的で、人の肌の色調、及びおそらくはメイクアップ効果に関する彼又は彼女の好みに基づいて、人を対象とする化粧品を選択する方法を備える。また本発明は、標準化されかつ再現可能な態様によって肌の色調の正確な測定値を得るための手段を用いる画像取得方法を備える。
【００１２】
第２の実施形態において、本発明はまた、人の肌の色調の測定値を使用条件下で予め測定された化粧品の色と相関付ける手段を用いる画像処理方法を備える。
【００１３】
第３の有利な実施形態において、本発明は、本発明に係る画像取得方法と本発明に係る画像処理方法の組み合わせを備え、上記人の肌の色調の正確な測定値及び使用条件下で測定された最も近い色を有する上記化粧品の色と調和する化粧品の選択のための推奨を人に提供することを可能とする。
【００１４】
本実施形態の代替形態では、本発明は、推奨を提案する際にそれらを統合するために、濃淡、色効果、仕上り及び期待されるメイクアップ結果に関する人の好みを収集する追加のステップを選択的に備える。
【００１５】
第４の実施形態において、本発明は、化粧品の使用色マップを特定する方法を備える。
【００１６】
第５の実施形態において、本発明は、人の肌の色調の絶対値を特定する方法を備える。
【００１７】
より具体的には、本発明は、人を対象とする化粧品を選択する方法であって、
化粧品に関する情報を備えるデータベースを有するステップと、
制御照明環境において人の画像を取得するステップと、
上記人の肌の色調の絶対値を特定するために、標準化された手段によって上記画像を処理するステップと、
使用色マップを得るために、データベースに統合された化粧品の色を彼らの使用条件下で測定するステップと、
上記肌の色調の絶対値を上記使用色マップに相関付けるステップと、
使用色マップ内のその色測定値が人の肌の色調の絶対値と相関する化粧品を上記データベースから抽出するステップと、
電子媒体を用いて、彼又は彼女が抽出製品のリストから選ばれた化粧品を選択できるように、上記ステップで得られた抽出製品を人に提示するステップと
を備える方法である。
【００１８】
したがって、本発明に係る選択方法は、カスタマー等の人が彼又は彼女の選択による化粧品の販売時点で体験することを可能とし、これは化粧品の選択、より詳細には製品のファンデーションタイプの選択についての助言又は個人専用の提案を上記人に提供する。
【００１９】
本発明の他の特徴及び効果は、添付図面を参照して、非限定的な例として与えられる以下の詳細な説明によって明らかとなる。
【図面の簡単な説明】
【００２０】
【図１】本発明の実施形態に係る化粧品の選択方法の主なステップを示す。
【図２】本発明の実施形態に係る化粧品の使用色マップの特定方法の主なステップを模式的に示す。
【図３】人の画像の取得又は化粧品色マップの確立に使用される制御照明環境を提供するセットアップを模式的に示す。
【発明を実施するための形態】
【００２１】
図１を参照して、人を対象とする化粧品の選択方法について説明する。本方法は、コンピュータによって実行されると、制御照明環境において画像を取得するセットアップ１、取得された画像を処理するコンピュータ２、及び上述した方法を実行するためのコード命令を記憶するメモリ３を備え、図３に模式的に示すシステムによって実行される。
【００２２】
メモリはまた、複数の化粧品に関する情報を備えるデータベースを記憶する。
【００２３】
本選択法は、特に以下のシナリオのようなカスタマーエクスペリエンスの背景に関する。
【００２４】
人（カスタマー）は、カスタマーのライフスタイル及び期待に対する深い理解を得るための一連の質問で始まる美容体験に誘導されるために、美容コンサルタントに迎えられる。次に、カスタマーの肌の色調の絶対値を特定（２００）するために画像取得方法１００を用いる肌色調測定を行い、その後に個人専用のカラーマトリクスの特定を行う（３００）。これらのパラメータが特定された後、比色分析測定値（colorimetric measurement）、及び必要に応じてカスタマーの好み（よりピンクの、金色の、暗い又は明るい）の双方に基づいて、カスタマーに対してファンデーションの推奨が提供される（４００）。
【００２５】
選択方法の第１のステップで利用されるデータベースは、製品の画像、その構成成分が記載されたその仕様書、その濃淡範囲、そのメイクアップ効果（明るい、暗い、金色、ピンクがかった）（薄付き、明るい、中程度のカバー力）等の上記データベースに含まれる複数の化粧品に関する情報を備える。このデータベースは、データベースの各化粧品に対して、使用条件下における化粧品の色を測定することによって得られる使用色マップを追加することによって強化される。
【００２６】
個人に対して個人専用のカラーマトリクスが得られると、ファンデーションの推奨４００は、その色の測定値が個人専用のカラーマトリクスの一部である当該又は各化粧品のデータベースからの抽出４１０、及び紙文書又はデジタルインターフェース等の情報媒体を用いた個人専用のカラーマトリクスに備えられる製品の人への提示４２０を備える。そして、その人は、個人専用のカラーマトリクスに属する製品の中からその好みの製品を選択することができる。
【００２７】
人の肌の色調を特定するために、本発明は撮影システムに基づく技術を使用する。これは、顔の色ムラを考慮して、人の顔への接触を回避し、顔全体の診断を行うことを可能とする。最後に、この技術の選択は、広範囲の撮影媒体を用いた、特に、撮影デバイスが設けられたスマートフォン、タブレット又は鏡等のツールを用いた実行を可能とする。
【００２８】
したがって、選択方法は、人の画像を撮影するステップ１１０を備える人の画像を取得するステップ１００であって、上記撮影は制御照明環境での人物の顔の完全な観察を備える、ステップと、人の肌の色調の絶対値を特定するように上記画像を処理するステップ２００を備え、上記処理するステップは、デジタル処理により、顔の画素の一部又は全部の各々の比色分析パラメータＬｉ及びｈｉを分析すること２１０を備え、Ｌｉ及びｈｉの各々の平均はＬｍ，ｈｍによって指定される上記顔の色の絶対値を特定するのに使用される。
【００２９】
パラメータＬ及びｈを特定することに加えて、０と１００の間のＬ軸に沿った画像の画素の分布図（ＤＬ）及び−１５°と１０５°の間のｈ軸に沿った画像の画素の分布図（Ｄｈ）を得ることができる。
【００３０】
したがって、本方法は、撮影された画像に基づいて、正確で、信頼性が高く、反復可能で、再現性の高い人の肌の色調の測定を可能とする。いくつかの技術的なパラメータは、変動の測定の再現性及び正確性を確保するように考慮されなければならない。
【００３１】
実際には、照明環境は、
・全体的又は部分的に人に対向するように位置決めされ、画像取得の対象となる人の周辺に均一な照明環境を提供可能な標準化された光源１０と、
・人の顔から２０ｃｍと５０ｃｍの間の距離又は２５ｃｍと３５ｃｍの間の距離に載置されたレンズを備える撮影デバイス２０と、
・テストパターン等の画像校正デバイス３０であって、上記パターンは、人の顔と同じ制御照明環境においてかつ人の顔と同じレンズからの距離で画像において撮影される、画像校正デバイス３０と、
・選択的に、撮影中に撮影デバイスから人の顔までの実際の距離を制御可能とする視線追跡デバイス４０と
を備える画像取得のためのセットアップ１の使用によって制御される。
【００３２】
標準化された光源１０は、例えばＤ６５，Ｄ５５，Ｄ５０参照システムによる光源から選択することができ、優先的にＤ６５参照システムによって選択されることになる。この光源は、人の顔に対向する少なくとも１つの点を有することになるが、人の顔の周辺に異なる配向で分散されてもよい。したがって、光源は、顔の均一な照明が可能となるよう配置されなければならない。本発明の目的のためには、用語「均一」は顔の影となっている領域が全くないこと、言い換えると異なる態様で照明される領域が顔内にないことを意味する。
【００３３】
したがって、画像取得方法１００は、ここでより詳細に説明するテストパターン校正ステップ１０１を備える。
【００３４】
肌の色のパッチ（合計Ｎ個）を備えるテストパターンは、最も明るいもの（大きいＬ）から最も暗いもの（小さいＬ）及び最もピンクのもの（小さいｈ）から最も黄色いもの（大きいｈ）まで世界中の全ての肌の色調をカバーするように、かつ各行に多少の同一性があるＬを、各列に多少の同一性があるｈを有するように作成される。
【００３５】
テストパターンは、人と同じ照明条件下かつ人と同じカメラからの距離で撮影される。画像取得システムによって測定され、デジタル処理によって分析され、各パッチの全画素にわたって平均化された、このパターンのＮ個のパッチに対する比色分析データ（明度Ｌ及び色相角Ｈ）は、値Ｌｐｎ及びｈｐｎで示される（ｎは１からＮまで変動する）。
【００３６】
このパターンのＮ個のパッチに対する比色分析データ（明度及び色相角）はまた、撮像方法で用いられたものと同一又は実質的に同一の標準化された照明条件下で分光光度計によって予め測定され、量Ｌｓｎ及びｈｓｎで示される（ｎは１からＮまで変動する）。
【００３７】
変換行列は、撮影及び分光光度計測定によって得られた比色分析データ（Ｌｐｎ，ｈｐｎ，Ｌｓｎ及びｈｓｎ）から計算され、これを画像の全ての画素に適用することにより、分光光度計の色空間において、画像において測定された全ての比色分析データの「置き換え」を可能とする。したがって、化粧品が表されているものと同じ使用色マップにおいて人の肌の色調の絶対値を並べることができる。
【００３８】
その手段を活用するための一実施形態を、例えば、以下のように示すことができる。
１    良好な演色評価数及び顔の制限された影を有する自然かつ標準化された昼光（Ｄ６５）の再現を可能とする照明されたフレームが開発及び選択された。この照明は、人が眩しくなりすぎたり、煩わしくなり過ぎたりすることなく販売時点での照明環境に対して優勢となるような態様で顔を照らすことを可能とする。
２    カメラから人の顔までの距離は特に顔（人が近いほど照明は明るくなる）の明度の観点で色に対して強い影響を有し、ＩＳＯ、ホワイトバランス、露出時間のようなカメラ設定は画像の色に対して直接的な影響を有する。当業者に周知のカメラの自動調整手段は、特に顔が露光過度にも露光不足にもならないように、開始時に使用され、その後に経験を通して固定されたままとなる。距離の検証が、視線追跡手段を用いることによって実行されてもよい。
３    顔の一部の領域（額、頬・・・）は、生態認証によって自動的に検出され、分析に際して考慮することをカスタマーが望まない不一致が彼又は彼女の顔にある場合には、カスタマーはこれらの領域を修正する（拡張、縮小）又はこれらを除去することさえ可能である。
４    最後に、画像は、Ｄ６５照明条件で知覚される「本当の」色を画像において得るように、テストパターンを用いて校正される。（分光光度計によって測定される）テストパターンパッチの既知の比色分析値及び撮影デバイスによって撮影された画像で実際に測定された比色分析値から計算される行列が、この校正を可能とする。
【００３９】
選択方法はまた、人の肌の色調の絶対値を特定するステップ２００、使用色マップを得るために使用条件下及び標準化された照明条件下における複数の化粧品の色を測定するステップ９００、及び個人専用のカラーマトリクスを特定３００するために人の肌の色調の絶対値を使用色マップに相関付けるステップを備える、撮影中に得られた画像を処理する手段を備える。
【００４０】
より具体的には、使用色マップを特定するための測定ステップ９００は、
・一定の厚さの均質的な膜として複数の化粧品の各々を参照媒体上に拡げるステップ９１０と、
・得られた各膜を２０℃と４５℃の間の温度で乾燥させるステップ９２０と、
・分光光度計によって、画像取得方法で用いられたものと同一又は略同一の標準化されたＤ６５照明条件下で、先行するステップで得られた各膜の比色分析パラメータＬｆ及びｈｆを測定するステップ９３０とを備え、
・点Ｌｆ／ｈｆの各対は複数の化粧品の各々の使用色マップを表し、点Ｌｆ／ｈｆの対のセットは制限なく使用マップの色空間を形成する、図２に模式的に示す方法によって実行される。
【００４１】
参照媒体は、任意の材料であり得る。それは、測定される化粧品の膜を拡げることに干渉しないように、好ましくは平坦でかつ粗さがないものであるべきである。
【００４２】
人の肌の色調の絶対値及び化粧品の各々の使用色マップが特定されると、個人の好みを適宜考慮して、使用条件下で人の肌の色調に最大の類似性を有する化粧品を確立可能とするために、これらを相互に相関付ける必要がある。
【００４３】
人の肌の色調の絶対値と使用色マップの相関関係３００は、以下の：
・人の肌の色調の絶対値の値Ｌｍ及びｈｍを、Ｌｆ／ｈｆの対のセットによって定義された使用色マップの色空間内に位置決めするステップ３１０と、
・Ｌｍと各Ｌｆとの間のΔＬ絶対差が±１０に等しく、好ましくは±５に等しく、ｈｍと各ｈｆとの間のΔｈ絶対差が０°と９０°の間、好ましくは０°と５０°の間、より好ましくは０°と２０°の間となるようにＬｆ／ｈｆの対を選択するステップ３２０と、
・上記選択ステップで得られたＬ及びｈ座標上の色空間内にある人の個人専用のカラーマトリクスを特定するステップ３３０と、
・場合によっては以下の追加の：
・例えば所望のメイクアップ効果、カバー力の大小、艶又はマット効果、ナチュラル又は重ね効果、顔の比色分析データの測定において考慮しない顔領域の選択、演色性などの、人の好ましい個人的な単数／複数の基準を統合するステップ３４０、及び／又は、
・特に人の顔に顔の色の欠陥又は不規則性がある場合に、異なる画素のＬ及びｈに変動の分散の領域を除外するために分布図（ＤＬ）又は（Ｄｈ）を考慮するステップ３５０を備える。
【００４４】
したがって、本発明で説明した化粧品の選択方法により、化粧品及び好ましくは可能な限り人の肌の色調に近いファンデーション、又は彼若しくは彼女の好みに応じて、カスタマーエクスペリエンスの最初に美容コンサルタントから与えられ、推奨を提供するためにその回答がアプリケーションに直接的に実施され得る質問事項によって若干よりピンクの（より小さいｈ）、金色の（より大きいｈ）、明るい（より大きいＬ）又は暗い（より小さいＬ）ファンデーションを人に提供することができる。
【００４５】
最後に、簡素化の理由だけではなく、彩度（Ｃ）はＬ及びｈと比較してファンデーションの色の範囲に対する影響が小さく無視できることが分かっているため、本発明者らは、明度Ｌ及び色相角ｈを考慮して、３次元ではなく２次元色空間で作用することを選択したことが注記されるべきである。
【００４６】
化粧品を選択する方法に加えて、本発明は、以下の：
・人の画像を撮影１００するステップであって、上記撮影は：
・全体的又は部分的に人に対向するように位置決めされ、画像取得の対象となる人の周辺に均一な照明環境を提供可能な標準化された光源１０と、
・人の顔から２０ｃｍと５０ｃｍの間の距離又は２５ｃｍと３５ｃｍの間の距離に載置されたレンズを備える撮影デバイス２０と、
・テストパターン等の画像校正デバイス３０であって、上記パターンは、人の顔と同じ制御照明環境においてかつ人の顔と同じレンズからの距離で画像内に撮影される、画像校正デバイス３０と、
・選択的に、撮影中に撮影デバイスから人の顔までの実際の距離を制御可能とする視線追跡デバイス４０と
を用いる制御照明環境における人の顔の完全な観察を備える、ステップと、
・デジタル処理により、顔の画素の一部又は全部の各々の比色分析パラメータＬｉ及びｈｉを分析２００するステップであって、Ｌｉ及びｈｉの各々の平均はＬｍ及びｈｍで指定される上記顔の色の絶対値を特定するのに用いられる、ステップと
を備える人の肌の色調の絶対値を特定する方法を含む。
【００４７】
最後に、本発明は、
・人の肌の色調の絶対値を特定するステップと、
・使用色マップを得るために、使用条件下及び標準化照明条件下における複数の化粧品の色を測定するステップと、
・個人専用のカラーマトリクスを特定するために、人の肌の色調の絶対値を使用色マップに相関付けるステップとを備え、
上記相関付けるステップは、
・人の肌の色調の絶対値の値Ｌｍ及びｈｍの値をＬｆ／ｈｆの対のセットによって定義された使用色マップの色空間内に位置決めするステップと、
・Ｌｍと各Ｌｆとの間のΔＬ絶対差が±１０に等しく、好ましくは±５に等しく、ｈｍと各ｈｆとの間のΔｈ絶対差が０°と９０°の間、好ましくは０°と５０°の間、より好ましくは０°と２０°の間となるようにＬｆ／ｈｆの対を選択するステップと、
・上記選択ステップで得られたＬ及びｈ座標上の色空間内に対応する人の個人専用のカラーマトリクスを特定するステップとを備える
ことを特徴とする画像処理方法を含む。
【図１】
2019195619.tif 000003
【図２】
2019195619.tif 000004
【図３】
2019195619.tif 000005
【外国語明細書】
2019195619000001.pdf